(57)【要約】【課題】送信元でのジョブの処理状況を示す事前情報を、受信側で認識する。【解決手段】ユーザがＰＣ１４からプリントジョブ送信の指示操作したとき（プリントスプール処理の開始時に相当）、画像処理装置１０ヘ事前情報の内の予約情報を送信することで、画像処理装置１０側の本実施の形態におけるジョブ一覧画面４２に、プリントジョブを登録する。この結果、ジョブ一覧画面４２の項目であるジョブ種に「プリント」、ジョブ名に予約情報を行ったプリントジョブ名が表示され、各項目が確保される。プリントジョブの登録後は、プリントスプール処理の進捗状況情報を、適宜送信することで、状態の項目欄に、進捗状況情報（例えば、「ＰＣ処理中○○％」）が更新されながら表示される。ユーザは、画像処理装置１０に対峙して、ジョブ一覧画面４２を見ることで、プリントスプール処理中のプリントジョブの状況を確認することが可能となる。【選択図】図４
2019001117.tif 000002
【特許請求の範囲】
【請求項１】
送信元から画像情報を受け付ける前に、前記画像情報を識別する識別情報を含む事前情報を受け付ける受付手段と、
受け付けた事前情報を登録する登録手段と、
登録されている前記事前情報を報知する報知手段と、
を有する画像形成装置。
【請求項２】
前記事前情報が、さらに、前記送信元からの画像情報の受け付けが開始されるまでに当該送信元で実行される準備処理の進捗状況情報を含む請求項１記載の画像形成装置。
【請求項３】
前記報知手段が、
前記識別情報によって識別された複数の画像情報の受け付け状況を一覧表画像として表示する表示部を備える請求項１又は請求項２記載の画像形成装置。
【請求項４】
前記事前情報が登録されている場合に、画像形成処理のキャンセル及び画像形成処理順の入れ替えの少なくとも１つを含む変更処理を指示する指示手段をさらに有する請求項１〜請求項３の何れか１項記載の画像形成装置。
【請求項５】
送信元から画像情報を受け付ける前に、事前情報として、当該画像情報を識別する識別情報と、前記送信元からの画像情報の受け付けが開始されるまでに当該送信元で実行される準備処理の進捗状況情報とを受け付ける受付手段と、
受け付けた識別情報及び進捗状況情報を登録する登録手段と、
受け付けた進捗状況情報を用いて、前記登録手段に登録された識別情報の進捗状況情報を更新する更新手段と、
登録された前記識別情報、及び更新された最新の進捗状況情報を報知する報知手段と、
を有する画像形成装置。
【請求項６】
画像情報を通信回線網を介して送信する機能を備えた端末装置と、前記端末装置から受け付けた画像情報に応じて画像形成処理を実行する画像形成装置と、を備え、前記端末装置と前記画像形成装置との間で通信される情報を制御する情報通信システムであって、
前記端末装置が、
画像情報を送信する前に前記画像情報を識別する識別情報を送信する第１送信手段と、
前記第１送信手段で前記識別情報を送信した後、かつ画像情報の送信前に実行される準備処理の進捗状況情報を送信する第２送信手段と、
準備処理が終了した画像情報を送信する第３送信手段とを備え、
前記画像形成装置が、
送信元から画像情報を受け付ける前に、事前情報として、当該画像情報を識別する識別情報と、前記送信元からの画像情報の受け付けが開始されるまでに当該送信元で実行される準備処理の進捗状況情報とを受け付ける受付手段と、
受け付けた識別情報及び進捗状況情報を登録する登録手段と、
受け付けた進捗状況情報を用いて、前記登録手段に登録された識別情報の進捗状況情報を更新する更新手段と、
前記識別情報に対応する最新の進捗状況情報の報知を指示する指示手段と、を備えた
情報通信システム。
【発明の詳細な説明】
【技術分野】
【０００１】
本発明は、画像形成装置、情報通信システムに関する。
【背景技術】
【０００２】
特許文献１には、ＬＡＮを介して情報処理装置から入力されてくるジョブデータを画像形成処理装置側のストレージデバイスに記憶させ、かつジョブデータを順次スプール処理手段でプリントスプール処理して画像形成処理を実行する構成において、プリントスプール処理される複数のジョブデータのジョブ進捗状況情報を表示することが記載されている。すなわち、特許文献１は、プリントスプール処理が画像形成処理装置側となっている。
【先行技術文献】
【特許文献】
【０００３】
【特許文献１】特開２００６−３５０６７４号公報
【発明の概要】
【発明が解決しようとする課題】
【０００４】
送信元であるクライアント端末側でプリントスプール処理されたデータ（プリントデータ）を、受信側である画像形成装置へ送信する送信手順において、クライアント端末側でのプリントスプール処理中の進捗状況情報が、画像形成装置側で認識できない場合がある。
【０００５】
本発明は、送信元でのジョブの処理状況を示す事前情報を、受信側で認識することができる画像形成装置、情報通信システムを得ることが目的である。
【課題を解決するための手段】
【０００６】
請求項１に記載の発明は、送信元から画像情報を受け付ける前に、前記画像情報を識別する識別情報を含む事前情報を受け付ける受付手段と、受け付けた事前情報を登録する登録手段と、登録されている前記事前情報を報知する報知手段と、を有する画像形成装置である。
【０００７】
請求項２に記載の発明は、前記請求項１に記載の発明において、前記事前情報が、さらに、前記送信元からの画像情報の受け付けが開始されるまでに当該送信元で実行される準備処理の進捗状況情報を含む。
【０００８】
請求項３に記載の発明は、前記請求項１又は請求項２記載の発明において、前記報知手段が、前記識別情報によって識別された複数の画像情報の受け付け状況を一覧表画像として表示する表示部を備える。
【０００９】
請求項４に記載の発明は、前記請求項１〜請求項３の何れか１項記載の発明において、前記事前情報が登録されている場合に、画像形成処理のキャンセル及び画像形成処理順の入れ替えの少なくとも１つを含む変更処理を指示する指示手段をさらに有する。
【００１０】
請求項５に記載の発明は、送信元から画像情報を受け付ける前に、事前情報として、当該画像情報を識別する識別情報と、前記送信元からの画像情報の受け付けが開始されるまでに当該送信元で実行される準備処理の進捗状況情報とを受け付ける受付手段と、受け付けた識別情報及び進捗状況情報を登録する登録手段と、受け付けた進捗状況情報を用いて、前記登録手段に登録された識別情報の進捗状況情報を更新する更新手段と、登録された前記識別情報、及び更新された最新の進捗状況情報を報知する報知手段と、を有する画像形成装置である。
【００１１】
請求項６に記載の発明は、画像情報を通信回線網を介して送信する機能を備えた端末装置と、前記端末装置から受け付けた画像情報に応じて画像形成処理を実行する画像形成装置と、を備え、前記端末装置と前記画像形成装置との間で通信される情報を制御する情報通信システムであって、
前記端末装置が、
画像情報を送信する前に前記画像情報を識別する識別情報を送信する第１送信手段と、前記第１送信手段で前記識別情報を送信した後、かつ画像情報の送信前に実行される準備処理の進捗状況情報を送信する第２送信手段と、準備処理が終了した画像情報を送信する第３送信手段とを備え、前記画像形成装置が、送信元から画像情報を受け付ける前に、事前情報として、当該画像情報を識別する識別情報と、前記送信元からの画像情報の受け付けが開始されるまでに当該送信元で実行される準備処理の進捗状況情報とを受け付ける受付手段と、受け付けた識別情報及び進捗状況情報を登録する登録手段と、受け付けた進捗状況情報を用いて、前記登録手段に登録された識別情報の進捗状況情報を更新する更新手段と、前記識別情報に対応する最新の進捗状況情報の報知を指示する指示手段と、を備えた情報通信システムである。
【発明の効果】
【００１２】
請求項１に記載の発明によれば、送信元でのジョブの処理状況を示す事前情報を、受信側で認識することができる。
【００１３】
請求項２に記載の発明によれば、画像情報の受付前に識別でき、進捗状況情報を認識することができる。
【００１４】
請求項３に記載の発明によれば、一覧を表示しないよりも、予約情報の認識度合いを高めることができる。
【００１５】
請求項４に記載の発明によれば、画像形成処理のキャンセル又は入れ替えができない場合よりも使い勝手を向上することができる。
【００１６】
請求項５に記載の発明によれば、送信元でのジョブの処理状況を示す事前情報を、受信側で認識することができる。
【００１７】
請求項６に記載の発明によれば、送信元でのジョブの処理状況を示す事前情報を、受信側で認識することができる。
【図面の簡単な説明】
【００１８】
【図１】本実施の形態に係る画像処理装置を含む通信回線網の概略図である。
【図２】本実施の形態に係る画像処理装置の正面図である。
【図３】本実施の形態に係る画像処理装置の制御系の構成を示すブロック図である。
【図４】（Ａ）は画像処理装置のＵＩの正面図、（Ｂ）はタッチパネルにメインメニュー画面が表示された状態の正面図、（Ｃ）はタッチパネルにジョブ一覧画面が表示された状態の正面図である。
【図５】本実施の形態に係るＰＣから画像処理装置へ送信されるプリントジョブの送信形態を機能別に分類した制御ブロック図である。
【図６】本実施の形態に係るＰＣ側で実行される処理ルーチンであり、（Ａ）はジョブ転送処理ルーチンを示す制御フローチャート、（Ｂ）はプリントスプール処理ルーチンを示す制御フローチャートである。
【図７】本実施の形態に係る画像処理装置側で実行される、受付ジョブ処理ルーチンを示す制御フローチャートである。
【図８】本実施の形態に係る画像形成処理において、電源投入時に起動する、ＵＩ画面表示制御ルーチンを示すフローチャートである。
【発明を実施するための形態】
【００１９】
図１は、本実施の形態に係る画像処理装置を含む情報通信システムが構築された通信回線網の概略図である。
【００２０】
図１に示される如く、画像処理装置１０は、インターネット等の通信回線網１２に接続されている。通信回線網１２は、例えば、ＬＡＮ（ローカル・エリア・ネットワーク）又はインターネット回線であり、複数のＬＡＮが、ＷＡＮ（ワイド・エリア・ネットワーク）によって相互に接続されていてもよい。また、通信回線網１２を含む全ての通信系統は、それぞれ有線接続である必要はない。すなわち、一部又は全部が無線によって情報を送受信する無線通信回線網であってもよい。
【００２１】
なお、図１では、２台の画像処理装置１０が接続されているが、この数は限定されるものではなく、１台でもよいし、３台以上であってもよい。
【００２２】
また、この通信回線網１２には、端末装置としての複数のＰＣ（パーソナルコンピュータ）１４が接続されている。ＰＣ１４は、本体１６と、ＵＩ（ユーザーインターフェイス）１８とを有している。ＵＩ１８は、表示部としてのモニタ１８Ｍと、入力操作部としてのキーボード１８Ｋ及びマウス１８Ｓを備える。
【００２３】
なお、図１では、３台のＰＣ１４が接続されているが、この数は限定されるものではなく、１台〜２台でもよいし、４台以上であってもよい。また、情報端末機器としては、ＰＣ１４に限定されるものではなく、さらには有線接続である必要もない。すなわち、無線によって情報を送受信する通信端末装置であってもよい。
【００２４】
図１に示される如く、画像処理装置１０では、ＰＣ１４から当該画像処理装置１０に対して、例えばデータを転送して画像形成（プリント）指示操作を行なう場合（プリントジョブの送信）、或いは使用者（ユーザ）が画像処理装置１０の前に立ち、各種操作によって、例えば、複写（コピー）、スキャン（画像読取）、ファクシミリ送受信等の処理を指示する場合がある。
【００２５】
図２には、本実施の形態に係る画像処理装置１０が示されている。画像処理装置１０は、記録用紙に画像を形成する画像形成装置としての画像形成部２０と、原稿画像を読み取る画像読取部２２と、ファクシミリ通信制御部２４を備えている。また、画像処理装置１０の筐体前面側には、ユーザーインターフェイス３０が（以下、ＵＩ３０という）が取り付けられている。
【００２６】
画像読取部２２は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２７】
画像形成部２０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２８】
画像処理装置１０は、メインコントローラ２６を備えており、画像形成部２０、画像読取部２２、ファクシミリ通信制御部２４を制御して、例えば、画像読取部２２で読み取った原稿画像の画像データを一時的に記憶したり、読み取った画像データを画像形成部２０又はファクシミリ通信制御部２４、或いはＰＣ１４（図１参照）へ送出したりする。
【００２９】
メインコントローラ２６には前記通信回線網１２が接続され、ファクシミリ通信制御部２４には電話回線２７が接続されている。メインコントローラ２６は、例えば、通信回線網１２を介してＰＣ１４（サーバー、ホストコンピュータを含む）と接続され、プリントジョブ（画像情報を含む）を受信したり、ファクシミリ通信制御部２４を介して電話回線２７を用いてファクシミリ受信及びファクシミリ送信を実行する役目を有している。
【００３０】
図３は、画像処理装置１０のメインコントローラ２６、及びＰＣ１４の制御系ブロック図である。
【００３１】
図３に示される如く、画像処理装置１０のメインコントローラ２６は、ＣＰＵ２６Ａ、ＲＡＭ２６Ｂ、ＲＯＭ２６Ｃ、入出力部２６Ｄ（以下Ｉ／Ｏ２６Ｄという）、及びこれらを接続するデータバスやコントロールバス等のバス２６Ｅを備えている。
【００３２】
Ｉ／Ｏ２６Ｄには、通信回線網１２との接続を可能とするネットワークＩ／Ｆ２８、ＵＩ３０が接続されている。
【００３３】
また、Ｉ／Ｏ２６Ｄには、画像読取部２２、画像形成部２０、及びファクシミリ通信制御部２４が接続されている。
【００３４】
さらに、Ｉ／Ｏ２６Ｄには、大規模記録媒体としてのハードディスク３２が接続されている。ハードディスク３２は、ＰＣ１４等から受け付けたプリントジョブ（画像情報を含む）、画像読取部２２で読み取った画像情報、及び、ファクシミリ通信制御部２４で受信した画像情報等を一時的に格納する。
【００３５】
また、図３に示される如く、ＰＣ１４の本体１６は、マイクロコンピュータ３４、及びハードディスク３６を有する。
【００３６】
マイクロコンピュータ３４は、ＣＰＵ３４Ａ、ＲＡＭ３４Ｂ、ＲＯＭ３４Ｃ、入出力部３４Ｄ（以下Ｉ／Ｏ３４Ｄという）、及びこれらを接続するデータバスやコントロールバス等のバス３４Ｅを備えている。
【００３７】
Ｉ／Ｏ３４Ｄには、通信回線網１２との接続を可能とするネットワークＩ／Ｆ３８が接続されると共に、ＵＩ１８、及びハードディスク３６が接続されている。ハードディスク３６には、特定の画像処理装置１０毎に、画像形成処理を指示するためのプリンタドライバプログラムが予め記憶されており（インストールされており）、マイクロコンピュータ３４のＣＰＵ３４Ａにおいて、プリンタドライバプログラムが実行されることで、画像形成処理を指示するプリントジョブ（画像形成用データ及び画像形成処理を実行するための命令系統を含む）が生成されるようになっている。
【００３８】
また、ハードディスク３６には、複数のページ記述言語が登録されており、マイクロコンピュータ３４のＣＰＵ３４Ａでは、生成されたプリントジョブの送信の指示があると、送信先である画像処理装置１０で処理可能な言語に変換する（プリントスプール処理）。
【００３９】
図４（Ａ）に示される如く、画像処理装置１０（図２参照）のＵＩ３０は、タッチパネル３０Ａ及び、タッチパネル３０Ａの周囲に点在するハードキー３０Ｂ（図４では、一部を指標）を備える。
【００４０】
タッチパネル３０Ａには、メインメニュー画面４０（図４（Ｂ）参照）を基本画面として、当該メインメニュー画面に、区画して表示される各種機能領域にタッチ操作することで、それぞれの機能に関するサブメニュー画面に切り替わるようになっている。
【００４１】
ここで、本実施の形態では、メインメニュー画面４０からの操作で、サブメニュー画面として、画像処理装置１０で実行されるジョブ一覧画面４２（図４（Ｃ）参照）を備えている。ジョブ一覧画面４２は、項目として、ジョブ種、ショブ名、送信元の特定情報（ＰＣ識別情報、及びユーザ識別情報等）、及び状態の欄が設定されている。状態とは、プリントジョブの処理状態を示す（詳細後述）。
【００４２】
（ジョブ進捗状況情報の通知制御）
本実施の形態において、ＰＣ１４から画像処理装置１０へ画像形成処理を指示するジョブ（プリントジョブ）を送信する場合がある。
【００４３】
ＰＣ１４に予めインストールされたプリンタドライバでは、プリントジョブを画像処理装置１０へ送信する指示があると、基となるデータを、画像形成部２０での画像形成処理に対応可能なページ記述言語（ＰＤＬ）に変換する処理（プリントスプール処理）を実行する。
【００４４】
プリントスプール処理が終了すると、ＰＣ１４は、プリントジョブを画像処理装置１０を送信することになるが、本実施の形態では、このプリントジョブの送信に先立って、ＰＣ１４から画像処理装置１０へ、プリントスプール処理の開始時にプリントジョブを識別する識別情報としての予約情報を送信すると共に、適宜時期にプリントスプール処理の進捗状況情報を送信するようにした。なお、以下において、予約情報と進捗状況情報とを総称して、「事前情報」という場合がある。
【００４５】
画像処理装置１０では、この事前情報を受け付けると、予約情報に基づいて、ジョブ一覧画面４２に登録し、プリントジョブ（プリントデータ）が届く前であっても、当該プリントジョブを受け付けたことが認識可能となる。また、進捗状況情報に基づいて、例えば、ジョブ一覧画面４２の状態の項目欄に、「ＰＣ処理中○○％」等といった情報を表示する。
【００４６】
比較例として、プリントジョブの送信の指示操作後、本実施の形態における事前情報を送信しない形態を想定する。
【００４７】
比較例では、ユーザがＰＣ１４からプリントジョブ送信の指示操作後、画像形成処理された記録用紙を受け取るために画像処理装置１０が設置された位置まで移動する。
【００４８】
ユーザが画像処理装置１０まで移動した時点で、依然としてプリントスプール処理が継続されていると、比較例におけるジョブ一覧画面４２を見ても、送信したプリントジョブの履歴が存在しないことになる。
【００４９】
このため、比較例では、プリントジョブ送信の指示操作をしたか否かを確認したり、プリントスプール処理の進捗状況情報を確認するには、ＰＣ１４が設置された位置（例えば、自席）まで戻る必要があった。
【００５０】
これに対して、本実施の形態では、ユーザがＰＣ１４からプリントジョブ送信の指示操作したとき（プリントスプール処理の開始時に相当）、画像処理装置１０ヘ事前情報の内の予約情報（例えば、送信元のＰＣ及びユーザを特定する識別情報）を送信することで、画像処理装置１０側の本実施の形態におけるジョブ一覧画面４２に、プリントジョブを登録する。この結果、ジョブ一覧画面４２の項目であるジョブ種に「プリント」、ジョブ名に予約情報を行ったプリントジョブ名が表示され、各項目が確保される。
【００５１】
また、プリントジョブの登録後は、プリントスプール処理の進捗状況情報を、適宜送信することで、状態の項目欄に、進捗状況情報（例えば、「ＰＣ処理中○○ＧＢｙｔｅ」、「ＰＣ処理中○○％」）が更新されながら表示される。
【００５２】
ユーザは、画像処理装置１０に対峙して、ジョブ一覧画面４２を見ることで、プリントスプール処理中のプリントジョブの状況を確認することが可能となる（図４（Ｃ）参照）。
【００５３】
なお、進捗状況情報の送信時期は、例えば、プリントスプール処理の単位処理量毎が挙げられる。単位処理量はユーザの正確さの要求に応じて設定すればよい。
【００５４】
また、通知する進捗状況情報の種類としては、プリントスプール処理の全処理量が既知である場合は、前述の如く、進捗状況情報の送信時期を単位処理率としてもよい（単位処理率／１００％）。
【００５５】
さらに、進捗状況情報の計算負荷に応じてプリントスプール処理能力が低下するため、ユーザの要求に併せて、進捗状況情報のインタバルを調整可能としてもよい。
【００５６】
図５は、本実施の形態に係るＰＣ１４から画像処理装置１０へ送信されるプリントジョブの送信形態を機能別に分類した制御ブロック図である。図５の各ブロックは、ＰＣ１４のマイクロコンピュータ３４、及び画像処理装置１０のメインコントローラ２６のハード構成を限定するものではなく、一部又は全部がプログラムの実行でソフトウェアによって処理することを含む。
【００５７】
「ＰＣ１４のマイクロコンピュータ３４の機能」
送信指示受付部５０は、送信対象ジョブ読出部５２及び予約情報生成部５４に接続されている。送信指示受付部５０は、ＵＩ１８から送信指示を受け付けると、送信対象ジョブ読出部５２に対して、ハードディスク３６からの送信対象ジョブを読み出すように指示する。
【００５８】
また、送信指示受付部５０は、ＵＩ１８から送信指示を受け付けると、予約情報生成部５４に対して、予約情報の生成を指示する。
【００５９】
予約情報生成部５４では、送信対象のジョブ名に加え、送信元を特定する情報（例えば、ＰＣ識別情報（ＰＣＩＤ）及びユーザ識別情報（ユーザＩＤ））を予約情報として生成し、第１送信手段及び第２送信手段の一例としての事前情報送信処理部５６へ送出する。
【００６０】
事前情報送信処理部５６では、送信部５８を介して、予約情報をプリントデータに先立って送信する。
【００６１】
一方、送信対象ジョブ読出部５２で読み出した送信対象のプリントジョブは、プリントスプール処理実行部６０へ送出され、予め定めたプリント言語に基づき、画像処理装置１０で画像形成処理可能なプリントデータに変換する処理（プリントスプール処理）が実行される。
【００６２】
このプリントスプール処理実行部６０による処理が開始されるまでの間に、前記事前情報送信処理部５６では、画像処理装置１０に対して予約情報が送信される。
【００６３】
プリントスプール処理実行部６０では、プリントスプール処理が終了すると、第３送信手段の一例としての送信部５８を介して、画像処理装置１０へプリントデータを順次送信する。
【００６４】
また、プリントスプール処理実行部６０では、画像処理装置１０へのプリントスプール処理に同期して、進捗状況情報生成部６２に対してプリントスプール処理の進捗状況情報を通知する。
【００６５】
進捗状況情報生成部６２では、当該プリントスプール処理の進捗状況情報を、事前情報送信処理部５６へ送出する。事前情報送信処理部５６は、送信部５８を介して、画像処理装置１０へ進捗状況情報を送信する。
【００６６】
なお、進捗状況情報は、進捗状況が一目で分かる情報、例えば、プリントスプール処理の処理量や実行度合いといった数値情報が好ましい。また、単純に処理量でもよいし、処理済み量／全処理といった形態で表現してもよい。
【００６７】
「画像処理装置１０のメインコントローラ２６の機能」
受付手段の一例としての受付部６４では、ＰＣ１４側の送信部５８から送信される事前情報及びプリントデータを受け付ける。受付部６４は、情報解析部６６に接続されている。
【００６８】
情報解析部６６は、受付部６４で受け付けた情報を解析し、送出先を振り分ける。すなわち、受け付けた情報が事前情報の場合は、当該事前情報をジョブ管理部６８へ送出する。また、受け付けた情報がプリントデータの場合は、当該プリントデータを言語解析部７０へ送出する。
【００６９】
事前情報が予約情報の場合は、ジョブ管理部６８は、受け付けた事前情報（プリントの予約情報）に基づき、新規に受け付けたプリントジョブとして一時格納部７２へ、一時的に格納する。一時格納部７２には、受け付けたジョブ毎に、ジョブ種、送信元、及び、状態といった項目が一覧表として記憶されることになる。
【００７０】
事前情報が進捗状況情報の場合は、ジョブ管理部６８は、受け付けた事前情報（進捗状況情報）を、更新手段の一例としての更新部７８へ送出する。更新部７８では、一時格納部７２に予約情報によって新規登録されたプリントジョブの「状態」の欄の進捗状況情報が更新される。
【００７１】
一方、言語解析部７０では、ハードディスク３２に予め記憶されたプリント言語を読み出してプリントデータの言語を解析し、ＲＩＰ処理部７４において、ラスターイメージデータ（例えば、ビットマップデータ）に変換する。
【００７２】
ＲＩＰ処理部７４で処理されたラスターイメージデータは、画像形成部２０へ送出され、画像形成処理（記録用紙へのプリント処理）が実行される。
【００７３】
また、ＲＩＰ処理部７４は、処理状況認識部７６に接続されており、ＲＩＰ処理の処理状況が逐次通知されるようになっている。
【００７４】
処理状況認識部７６で認識した処理状況は、更新部７８へ送出される。更新部７８では、一時格納部７２に格納されているジョブ一覧に登録されている受付ジョブを検索し、情報が更新される。
【００７５】
一時格納部７２に格納された受付ジョブの一覧は、指示手段の一例としてのＵＩ３０から指示（操作）で、例えばジョブ一覧画面４２（図４（Ｃ）参照）として、報知手段の一例としてのタッチパネル３０Ａに表示されるようになっている。
【００７６】
ＰＣ１４において、プリントスプール処理中でありプリントデータが画像処理装置１０へ転送されていないジョブにおいては、事前情報によって受付ジョブ情報として登録されているため、状態として、例えば「ＰＣ処理中○○ＧＢｙｔｅ」、「ＰＣ処理中○○％」等が表示される。
【００７７】
また、ＰＣ１４からプリントデータが転送されている場合は、状態として、例えば、「受信中」と表示される。
【００７８】
以下に本実施の形態の作用を、図６〜図８のフローチャートに従い説明する。
【００７９】
「ＰＣ１４側の処理」
図６は、ＰＣ１４側で実行される処理ルーチンであり、図６（Ａ）は、ジョブ転送処理ルーチンを示す制御フローチャート、図６（Ｂ）はプリントスプール処理ルーチンを示す制御フローチャートである。
【００８０】
図６（Ａ）に示される如く、ステップ１００では、プリントジョブの送信指示（ジョブ送信指示）があったか否かを判断し、否定判定された場合はこのルーチンは終了する。
【００８１】
また、ステップ１００で肯定判定された場合は、ステップ１０２へ移行して、ハードディスク３６から対象ジョブを読み出し、ステップ１０４へ移行して、プリントスプール処理の実行を指示し、ステップ１０６へ移行する。ステップ１０４におけるプリントスプール処理の実行の指示により、図６（Ｂ）のプリントスプール処理が開始される（詳細後述）。
【００８２】
図６（Ａ）に示される如く、ステップ１０６では、送信対象ジョブを特定可能な予約情報を生成する。例えば、予約情報は、送信対象のジョブ種（ここでは、プリント）、ジョブ名、ＰＣ識別情報及びユーザＩＤを含む。
【００８３】
次のステップ１０８では、予約情報を画像処理装置１０側へ送信し、次いで、ステップ１１０へ移行して、並行処理しているプリントスプール処理の処理状況を問い合わせる。
【００８４】
次のステップ１１２では、問い合わせたプリントスプール処理の処理状況に基づき、進捗状況情報を生成し、次いで、ステップ１１４へ移行して進捗状況情報を画像処理装置１０側へ送信し、ステップ１１６へ移行する。
【００８５】
ステップ１１６では、進捗状況情報が、プリントスプール処理の終了を示唆しているか否かを判断する。このステップ１１６で否定判定された場合は、ステップ１１０へ戻り、上記工程を繰り返す。また、ステップ１１６で肯定判定された場合は、このルーチンは終了する。
【００８６】
次に、図６（Ｂ）のフローチャートに従い、図６（Ａ）のステップ１０４で指示されることで実行される、図６（Ｂ）のプリントスプール処理の流れを説明する。ＰＣ１４の処理能力によるが、例えば、ジョブ転送処理ルーチン（図６（Ａ））とプリントスプール処理ルーチン（図６（Ｂ））は並行処理される。なお、時分割処理により、実質的な並行処理としてもよい。
【００８７】
ステップ１２０では、プリント言語判定処理を実行し、次いで、ステップ１２２へ移行してハードディスク３６からプリント言語を読み出し、ステップ１２４へ移行する。
【００８８】
ステップ１２４では、プリントスプール処理を実行し、ステップ１２６へ移行する。ステップ１２６では、処理状況の問い合わせがあったか否かを判断する。すなわち、図６（Ａ）のステップ１１０における問い合わせの有無を判断する。
【００８９】
ステップ１２６で肯定判定されると、ステップ１２８で現在のプリントスプール処理の処理状況を通知し、ステップ１３０へ移行する。また、ステップ１２６で否定判定された場合は、ステップ１３０へ移行する。
【００９０】
ステップ１３０では、プリントスプール処理が終了したか否かを判断し、否定判定された場合は、ステップ１２４へ戻り、プリントスプール処理を継続する。また、ステップ１３０で肯定判定された場合は、ステップ１３２へ移行して、画像処理装置１０へプリントスプール処理が終了したプリントデータの送信開始を指示し、このルーチンは終了する。
【００９１】
「画像処理装置１０側の処理」
図７は、画像処理装置１０側で実行される、受付ジョブ処理ルーチンを示す制御フローチャートである。
【００９２】
ステップ１５０では、ジョブ情報を受け付けたか否かを判断する。なお、本実施の形態では、ジョブ情報を、事前情報及びプリントデータに特化する。
【００９３】
ステップ１５０で否定判定された場合は、このルーチンは終了する。また、ステップ１５０で肯定判定されると、ステップ１５２へ移行して、ジョブ情報を解析処理し、ステップ１５４へ移行する。
【００９４】
ステップ１５４では、ステップ１５２での解析処理の結果において、情報種が事前情報と判定された場合は、ステップ１５６へ移行する。
【００９５】
ステップ１５６では、事前情報種が、予約情報か進捗状況情報かを判断し、予約情報の場合は、ステップ１５８へ移行して、予約情報に基づきジョブ一覧に登録し、ステップ１５０へ戻る。
【００９６】
また、ステップ１５６で、事前情報が進捗状況情報の場合は、ステップ１６０へ移行して、進捗状況情報に基づき、ジョブ一覧の項目の情報を更新し、ステップ１５０へ戻る。
【００９７】
一方、ステップ１５４において、情報種がプリントデータと判定された場合は、ステップ１６２へ移行する。
【００９８】
ステップ１６２では、プリントデータの受信処理を実行し、ステップ１６４へ移行する。ステップ１６４でプリントデータの受信が終了したか否かを判断し、否定判定された場合は、ステップ１６２へ戻り、肯定判定されると、ステップ１６６へ移行する。
【００９９】
ステップ１６６では、言語解釈処理を実行し、次いで、ステップ１６８へ移行してＲＩＰ処理を実行し、ステップ１７０へ移行して、ＲＩＰ処理によって生成されたラスターイメージデータを画像形成部２０へ送出して、ステップ１７２へ移行する。
【０１００】
ステップ１７２では、画像形成処理を実行する。画像形成処理が終了すると、ステップ１７４へ移行してジョブ一覧画面４２（図４参照）から、該当するジョブの情報を削除し、このルーチンは終了する。
【０１０１】
図８は、画像処理処理１０において、電源投入時に起動する、ＵＩ画面表示制御ルーチンを示すフローチャートである。
【０１０２】
ステップ１８０では、メインメニュー画面４０(図４（Ｂ）参照)が表示され、次いで、ステップ１８２へ移行して、画面切替指示があったか否かを判断する。このステップ１８２で否定判定された場合は、メインメニュー画面４０の表示が維持される。なお、省エネのための制御が実行されている場合、所定時間経過後に表示画面を消灯するようにしてもよい。
【０１０３】
ステップ１８２で肯定判定されると、ステップ１８４へ移行して、ジョブ一覧画面４２（図４（Ｃ）参照）の表示の指示か否かを判断する。ステップ１８４で否定判定された場合は、他のサブメニュー画面の表示指示であると判断し、ステップ１８６へ移行して、その他の表示制御を実行し、ステップ１８２へ戻る。
【０１０４】
また、ステップ１８４で肯定判定された場合は、ジョブ一覧画面４２の表示指示であると判断し、ステップ１８８へ移行して、ジョブ一覧画面４２に切り替え、ステップ１９０へ移行する。
【０１０５】
ステップ１９０では、事前情報に更新があるか否かを判断する。このステップ１９０で肯定判定された場合は、ステップ１９２へ移行して、ジョブ一覧画面４２の表示内容を更新し、ステップ１９４へ移行する。
【０１０６】
また、ステップ１９０で否定判定された場合は、ステップ１９４へ移行する。
【０１０７】
ステップ１９４では、ジョブ一覧画面４２の表示終了指示があったか否かを判断し、否定判定された場合は、ステップ１９０へ戻り、上記工程を繰り返す。
【０１０８】
また、ステップ１９４で肯定判定された場合は、ステップ１９６へ移行して、メインメニュー画面４０に切り替えて、ステップ１８２へ戻る。
【０１０９】
(図８のステップ１９２における表示内容更新処理の詳細)
ユーザがＰＣ１４からプリントジョブ送信の指示操作したとき、画像処理装置１０ヘ、事前情報の内の予約情報を送信する。これにより、画像処理装置１０側では、ジョブ一覧画面４２に、プリントジョブが登録され、ジョブ一覧画面４２の項目であるジョブ種に「プリント」、ジョブ名に予約情報を行ったプリントジョブ名が表示され、各項目が確保される。
【０１１０】
プリントジョブの登録後は、プリントスプール処理の進捗状況情報を、適宜送信する。これにより、画像処理装置１０側では、ジョブ一覧画面４２の状態の項目欄に表示されている進捗状況情報（例えば、「ＰＣ処理中○○ＧＢｙｔｅ」、「ＰＣ処理中○○％」等）が更新される。
【０１１１】
ユーザは、画像処理装置１０に対峙して、ジョブ一覧画面４２を見ることで、ＰＣ１４の設置場所に戻らなくても、プリントスプール処理中のプリントジョブの状況を確認することが可能となる。
【符号の説明】
【０１１２】
１０    画像処理装置
１２    通信回線網
１４    ＰＣ
１６    本体
１８    ＵＩ（ユーザーインターフェイス）
１８Ｍ    モニタ
１８Ｋ    キーボード
１８Ｓ    マウス
２０    画像形成部
２２    画像読取部
２４    ファクシミリ通信制御部
２６    メインコントローラ
２６Ａ    ＣＰＵ
２６Ｂ    ＲＡＭ
２６Ｃ    ＲＯＭ
２６Ｄ    入出力部（Ｉ／Ｏ）
２６Ｅ    バス
２８    ネットワークＩ／Ｆ
３０    ＵＩ
３０Ａ    タッチパネル
３０Ｂ    ハードキー
３２    ハードディスク
３４    マイクロコンピュータ
３６    ハードディスク
３４Ａ    ＣＰＵ
３４Ｂ    ＲＡＭ
３４Ｃ    ＲＯＭ
３４Ｄ    入出力部（Ｉ／Ｏ）
３４Ｅ    バス
３８    ネットワークＩ／Ｆ
４０    メインメニュー画面
４２    ジョブ一覧画面
５０    送信指示受付部
５２    送信対象ジョブ読出部
５４    予約情報生成部
５６    事前情報送信処理部
５８    送信部
６０    プリントスプール処理実行部
６２    進捗状況情報生成部
６４    受付部
６６    情報解析部
６８    ジョブ管理部
７０    言語解析部
７２    一時格納部
７４    ＲＩＰ処理部
７６    処理状況認識部
７８    更新部
【図１】
2019001117.tif 000003
【図２】
2019001117.tif 000004
【図３】
2019001117.tif 000005
【図４】
2019001117.tif 000006
【図５】
2019001117.tif 000007
【図６】
2019001117.tif 000008
【図７】
2019001117.tif 000009
【図８】
2019001117.tif 000010